(57)【特許請求の範囲】
【請求項１】
内部に圧力変動に伴って容積が変化する流体作動室を有するアキュムレータ本体と、
該アキュムレータ本体に一体的に一端が固着され他端部にポンプ装置の吐出通路開口端に螺合されるねじ部を有するとともに、軸方向に貫通し一端が前記流体作動室に連通する第１流通路と径方向に貫設され一端が前記第１流通路に連通し他端が外周面に開口する連通穴とを有する筒状連結部と、
該筒状連結部の外周に嵌合されその内周面に前記連通穴に連通する凹部空間を有するリング部と、該リング部の外周に一端が固着され内部に前記凹部空間に連通する第２流通路を有する連結パイプ部とからなる接続部材と、を備え、
前記ポンプ装置の前記吐出通路から前記第１流通路に吐出された作動油が、前記筒状連結部に径方向に貫設された前記連通穴から径方向外方にある前記リング部の前記凹部空間を経て前記第２流通路に流動する流路が形成されるとともに、前記アキュムレータ本体の前記流体作動室の開口が、前記筒状連結部の軸方向に延びる前記第１流通路を介して前記ポンプ装置の吐出通路の開口と対向配置されるように構成されていることを特徴とするアキュムレータ。
【発明の詳細な説明】
【０００１】
【発明の属する技術分野】
本発明は、例えば自動車や産業車両に搭載されるポンプ装置の作動油循環回路に取付けられ、作動油の脈動を吸収するアキュムレータに関する。
【０００２】
【従来の技術】
例えば自動車に搭載されるパワーステアリングシステムにおいては、ポンプ装置と油圧作動部とが配管により接続され、これにより、ポンプ装置から油圧作動部に送り出された作動油がポンプ装置に戻るように作動油の循環回路が形成されている。そして、ピストンポンプやベーンポンプなどのポンプ装置から送り出される作動油には、吐出圧力の周期的な変動により脈動が発生し、この脈動が振動騒音の原因となる。そこで、蓄圧機能を有するアキュムレータを配管に取付け、その脈動を吸収するようにしている。
【０００３】
このようなアキュムレータは、図３に示すように、内部に中空室を有するシェル７１と、シェル７１に周縁部が固定され中空室をガス室７３と流体作動室７４とに仕切るダイヤフラム７２と、軸方向に貫通して一端が流体作動室７４に連通する流通路７５ａを有する筒状連結部７５とからなり、筒状連結部７５がＴ字型アダプタ（分岐管）７６を介して配管７７に連結される。
【０００４】
一方、Ｔ字型アダプタ７６に連結された一方の配管７７とポンプ装置８の吐出通路との接続には、組み付けが簡便であることから、アイボルト８１及びアイジョイント８３からなる接続部材が用いられている。
アイボルト８１は、軸方向に延び先端面に開口する第１流通路８１ａと、第１流通路８１ａに連通し外周面に開口する連通穴８１ｂとを有し、その先端部がポンプ装置８の吐出通路開口端に螺合される。また、アイジョイント８３は、アイボルト８１の外周に液密的に嵌合されその内周面に連通穴８１ｂを介して第１流通路８１ａに連通する凹部空間８４ａを有するリング部８４と、リング部８４の外周に一端が固着され内部に凹部空間８４ａに連通する第２流通路８５ａを有する連結パイプ部８５とから構成されている。
【０００５】
【発明が解決しようとする課題】
ところで、上記従来のアキュムレータは、ポンプ装置と作動部とを連結する配管７７の途中にＴ字型アダプタ７５を用いて取付けられるため、Ｔ字型アダプタ７５等の特別な取付け部品を必要とし、アキュムレータの設置に伴う著しいコスト上昇を招くこととなる。
【０００６】
また、アキュムレータのような重量物を上記のようなＴ字型アダプタ７５を介して取付ける場合には、アキュムレータの重心から取付け支持部までの距離が長くなるため、車両のエンジンやサスペンションからの振動が増幅され、取付け支持部に加わる荷重が大きくなる。そのため、例えば図３に示すように、車体フレーム（図示せず）などにアキュムレータを固定して補強するためのブラケット７８等が必要となり、更に取付けスペースやコスト面で不利となる。
【０００７】
本発明は上記実状に鑑み案出されたものであり、取付け部品を簡略化することができ、振動耐久性に優れた取付け構造を有するアキュムレータを提供することを解決すべき課題とするものである。
【０００８】
【課題を解決するための手段】
上記課題を解決する請求項１記載の発明は、内部に圧力変動に伴って容積が変化する流体作動室を有するアキュムレータ本体と、該アキュムレータ本体に一体的に一端が固着され他端部にポンプ装置の吐出通路開口端に螺合されるねじ部を有するとともに、軸方向に貫通し一端が前記流体作動室に連通する第１流通路と径方向に貫設され一端が前記第１流通路に連通し他端が外周面に開口する連通穴とを有する筒状連結部と、該筒状連結部の外周に嵌合されその内周面に前記連通穴に連通する凹部空間を有するリング部と、該リング部の外周に一端が固着され内部に前記凹部空間に連通する第２流通路を有する連結パイプ部とからなる接続部材と、を備え、前記ポンプ装置の前記吐出通路から前記第１流通路に吐出された作動油が、前記筒状連結部に径方向に貫設された前記連通穴から径方向外方にある前記リング部の前記凹部空間を経て前記第２流通路に流動する流路が形成されるとともに、前記アキュムレータ本体の前記流体作動室の開口が、前記筒状連結部の軸方向に延びる前記第１流通路を介して前記ポンプ装置の吐出通路の開口と対向配置されるように構成されているという手段を採用している。
【０００９】
本発明のアキュムレータは、筒状連結部を接続部材のリング部に嵌合した後、筒状連結部の先端部に設けられた雄ねじ部をポンプ装置の吐出通路開口端に螺合することにより取付けられる。これにより、接続部材のリング部が締め付けられて液密的に挟持された状態となり、かつ筒状連結部の連通穴とリング部の凹部空間とが連通した状態で、筒状連結部の先端部がポンプ装置の吐出通路開口端に固定される。
【００１０】
したがって、本発明のアキュムレータによれば、従来のように補強用のブラケットやＴ字型アダプタ等の特別な取付け部品を必要とせず、取付け部品を簡略化することができ、振動耐久性に優れた取付け構造にすることができる。
また、本発明のアキュムレータは、ポンプ装置の吐出通路から第１流通路に吐出された作動油が、筒状連結部に径方向に貫設された連通穴から径方向外方にあるリング部の凹部空間を経て第２流通路に流動する流路が形成されるとともに、アキュムレータ本体の流体作動室の開口が、筒状連結部の軸方向に延びる第１流通路を介してポンプ装置の吐出通路の開口と対向配置されるように構成されているため、第１流通路から流体作動室への作動油の流動方向が、ポンプ装置の吐出通路からの吐出方向と同じ方向となるように取付けられることから、脈動周波数の広い範囲で脈動吸収効果を得ることができる。
【００１１】
【発明の実施の形態】
以下、本発明の実施の形態を実施例により具体的に説明する。
図１は本実施例に係るアキュムレータの取付け状態を示す断面図である。
本実施例のアキュムレータは、図１に示すように、ダイヤフラム１４により仕切られたガス室１５と流体作動室１６とを有するアキュムレータ本体１と、アキュムレータ本体１に一端が固着され第１流通路２１、連通穴２３及び雄ねじ部２４を有する筒状連結部２と、筒状連結部２の外周に嵌合されるリング部３１及びリング部３１の外周に一端が固着された連結パイプ部３５からなる接続部材３とを主要素として構成されている。
【００１２】
アキュムレータ本体１は、有底円筒状で底部中央に連通孔１１ａを有する下シェル１１と、下シェル１１の上端開口部に溶接で固定された蓋状の上シェル１２とを備え、その内部には中空室が形成されている。上シェル１２の中央部には、プラグ１３により閉止されたガス注入孔１２ａが設けられている。
そして、中空室の中央部には、略ドーム形状に形成されたダイヤフラム１４が、下シェル１１の内周面と上シェル１２の下端部外周面とにその周縁部が挟持固定されて配置されている。これにより、中空室は、上シェル１１側のガス室１５と下シェル１２側の流体作動室１６とに仕切られている。ガス室１５には、ガス注入孔１２ａより注入された窒素ガスが所定の圧力で封入されている。そして、流体作動室１６は、連通孔１１ａを介して作動油が流入出することにより内部圧力が変動すると、ダイヤフラム１４の変形を介して容積が変化するようになっている。
【００１３】
筒状連結部２は、内部を軸方向に貫通する第１流通路２１を有する円筒状のものであり、その一端側には鍔状に突出する取付け座部２２を有する。この筒状連結部２は、第１流通路２１の一端が下シェル１１の連通孔１１ａを介して流体作動室１６と連通するようにして、取付け座部２２が下シェル１１の底部外面に溶接により固着されている。
【００１４】
そして、筒状連結部２の略中央部には、径方向に貫通して内周面及び外周面に開口する複数の連通穴２３が周方向に沿って適宜間隔毎に配列されている。また、筒状連結部２の取付け座部２２と反対側の先端部外周には、ポンプ装置６の吐出通路開口端６１に螺合される雄ねじ部２４が設けられている。
接続部材３のリング部３１は、筒状連結部２の略半分の軸方向長さを有し、筒状連結部２の外周径と略符合する内周径を有する円筒状のものである。このリング部３１の内周面には、筒状連結部２の各連通穴２３と対向する位置で周方向に一周するように形成された環状溝３２ａと、環状溝３２ａの底面とリング部３１の外周面とに開口するように形成された連絡ポート３２ｂとからなる凹部空間３２が設けられている。
【００１５】
そして、連結パイプ部３５は、内部に軸方向に貫通する第２流通路３６を有し、第２流通路３６の一端がリング部３１の連絡ポート３２ｂと連通するようにしてリング部３１の外周に溶接により固着されている。
以上のように構成された本実施例のアキュムレータは、接続部材３のリング部３１をその両側に配置されるパッキン５、５とともに筒状連結部２に嵌合した後、筒状連結部２の先端部に設けられた雄ねじ部２４をポンプ装置６の吐出通路開口端６１に螺合することにより取付けられる。即ち、筒状連結部２の取付け座部２２と吐出通路の開口端面との間で接続部材３のリング部３１が締め付けられて液密的に挟持された状態となり、かつ筒状連結部２の連通穴２３とリング部３１の環状溝３２ａとが連通した状態で、筒状連結部２の先端部が吐出通路開口端６１に固定される。
【００１６】
これにより、本実施例のアキュムレータは、従来のように補強用のブラケットやＴ字型アダプタ等の特別な取付け部品を必要とせず、振動耐久性に優れた取付け構造で取付けられる。
そして、上記のようにアキュムレータが取付けられることにより、アキュムレータ本体１の流体作動室１６の開口（連通孔１１ａ）は、筒状連結部２の軸方向に延びる第１流通路２１を介してポンプ装置６の吐出通路の開口と対向する状態に配置される。また、ポンプ装置６の吐出通路から第１流通路２１に吐出された作動油が、連通穴２３から径方向外方にあるリング部３１の凹部空間３２（環状溝３２ａ及び連絡ポート３２ｂ）を経て第２流通路３６に流動する流路が形成される。
【００１７】
そして、ポンプ装置６の吐出通路から吐出される作動油に脈動が発生して第１流通路２１内の圧力が高まると、連通孔１１ａより流体作動室１６に流入する作動油によって、流体作動室１６の容積を大きくしガス室１５の容積を小さくするようにダイヤフラム１４が変形する。その後、第１流通路２１内の圧力がガス室１５の圧力よりも小さくなると、ガス室１５の容積を大きくするようにダイヤフラム１４が変形して元の状態に復帰する。
【００１８】
このようにして、脈動による圧力変化に対応してダイヤフラム１４が変形するとともに、ガス室１５の窒素ガスが圧縮及び膨張することにより脈動が吸収される。
以上のように、本実施例のアキュムレータによれば、アキュムレータ本体１に一体的に固着された筒状連結部２を、筒状連結部２のリング部３１を介してポンプ装置６の吐出通路開口端６１に螺合して取付けるように構成されているため、取付け部品を簡略化することができ、振動耐久性に優れた取付け構造にすることができる。
【００１９】
また、本実施例のアキュムレータは、ポンプ装置６の吐出通路から第１流通路２１に吐出された作動油が、連通穴２３から径方向外方にあるリング部３１の凹部空間３２を経て第２流通路３６に流動する流路が形成されるとともに、アキュムレータ本体１の流体作動室１６の開口が、筒状連結部２の軸方向に延びる第１流通路２１を介してポンプ装置６の吐出通路の開口と対向する状態に配置されるように構成されている。これにより、本実施例のアキュムレータは、第１流通路２１から流体作動室１６への作動油の流動方向が、ポンプ装置６の吐出通路からの吐出方向と同じ方向となるように取付けられることから、図２に示すように、脈動周波数の広い範囲で脈動吸収効果を得ることができる。即ち、前記従来のアキュムレータのように、配管７７から流体作動室７４への作動油の流動方向が配管７７内を流動する作動油の流動方向に対し略直角方向となるように取付けられる場合に比較して、脈動吸収効果を脈動周波数の広い範囲で確保することができる。
【００２０】
なお、上記実施例では、アキュムレータ本体１がダイヤフラム式で構成されたものを用いた例を説明したが、その他、ベローズ式、ピストン式などのアキュムレータにも本発明を適用することができる。
【図面の簡単な説明】
【図１】本発明の実施例に係るアキュムレータの取付け状態を示す断面図である。
【図２】実施例及び従来例のアキュムレータの取付け構造における脈動周波数と脈動圧力減衰量との関係を示すグラフである。
【図３】従来のアキュムレータの取付け状態を示す断面図である。
【符号の説明】
１…アキュムレータ本体            ２…筒状連結部          ３…接続部材
５…パッキン            ６…ポンプ装置      １１…下シェル
１２…上シェル      １４…ダイヤフラム      １５…ガス室
１６…流体作動室      ２１…第１流通路            ２３…連通穴
２４…雄ねじ部        ３１…リング部        ３２…凹部空間
３５…連結パイプ部        ３６…第２流通路            ６１…吐出口開口端
【図１】
0003555387.tif 000002
【図２】
0003555387.tif 000003
【図３】
0003555387.tif 000004